(57)【要約】【課題】有機汚れと無機汚れを問わず、抄紙用フェルト汚れの除去性に優れる抄紙用フェルト洗浄剤及びこれを用いた洗浄方法を提供する。【解決手段】炭素数８〜２４の分岐型１級アルコールから誘導された下記一般式（１）で表される非イオン界面活性剤（Ｓ）を含有する抄紙用フェルト洗浄剤。【化】2008222993.tif 000024〔式中、Ｒ１及びＲ２は炭素数１〜１２の分岐又は直鎖のアルキル基又はアルケニル基である。ＡＯは炭素数２〜４のオキシアルキレン基、ｎはオキシアルキレン基の平均付加モル数を示し、１〜１００である。〕【選択図】なし【特許請求の範囲】
【請求項１】
炭素数８〜２４の分岐型１級アルコールから誘導された下記一般式（１）で表される非イオン界面活性剤（Ｓ）を含有することを特徴とする抄紙用フェルト洗浄剤。
【化１】
2008222993.tif 000020
〔式中、Ｒ１及びＲ２は炭素数１〜１２の分岐又は直鎖のアルキル基又はアルケニル基である。ＡＯは炭素数２〜４のオキシアルキレン基、ｎはオキシアルキレン基の平均付加モル数を示し、１〜１００である。〕
【請求項２】
前記非イオン界面活性剤（Ｓ）が、炭素数８〜１１の分岐型１級アルコールから誘導された下記一般式（２）で表されるものであることを特徴とする請求項１に記載の抄紙用フェルト洗浄剤。
【化２】
2008222993.tif 000021
〔式中、Ｒ３及びＲ４は炭素数１〜８の分岐又は直鎖のアルキル基又はアルケニル基である。ＡＯは炭素数２〜４のオキシアルキレン基、ｎはオキシアルキレン基の平均付加モル数を示し、１〜１００である。〕
【請求項３】
前記非イオン界面活性剤（Ｓ）が、炭素数１０の分岐型１級アルコールから誘導された下記一般式（３）で表されるものであることを特徴とする請求項１又は２に記載の抄紙用フェルト洗浄剤。
【化３】
2008222993.tif 000022
〔式中、Ｒ５は炭素数３〜７の分岐又は直鎖のアルキル基又はアルケニル基である。Ｒ６は炭素数１〜５の分岐又は直鎖のアルキル基又はアルケニル基である。ＡＯは炭素数３及び／又は４のオキシアルキレン基、ＥＯはオキシエチレン基、ｎはオキシアルキレン基の平均付加モル数を示し、０〜２０であり、ｍはオキシエチレン基の平均付加モル数を示し、１〜５０である。〕
【請求項４】
前記非イオン界面活性剤（Ｓ）が、炭素数１０の分岐型１級アルコールから誘導された下記一般式（４）で表されるものであることを特徴とする請求項１〜３のいずれかに記載の抄紙用フェルト洗浄剤。
【化４】
2008222993.tif 000023
〔式中、Ｒ７は炭素数３〜７の分岐又は直鎖のアルキル基又はアルケニル基である。Ｒ８は炭素数１〜５の分岐又は直鎖のアルキル基又はアルケニル基である。ＡＯは炭素数３及び／又は４のオキシアルキレン基、ＥＯはオキシエチレン基、［（ＥＯ）ｐ／(ＡＯ)ｑ］はオキシエチレン基と炭素数３及び／又は４のオキシアルキレン基とのモル比ｐ／ｑのランダム重合鎖である。ｎはオキシアルキレン基の平均付加モル数を示し、０〜１０である。ｍはオキシエチレン基の平均付加モル数を示し、１〜５０である。ｐはランダム重合鎖におけるオキシエチレン基の平均付加モル数を示し、０〜１０である。ｑはランダム重合鎖におけるオキシアルキレン基の平均付加モル数を示し、１〜１０である。〕
【請求項５】
抄紙用フェルト洗浄剤１００重量部中に、前記非イオン界面活性剤（Ｓ）を１〜８５重量部、キレート剤（Ｃ）を０．００１〜４０重量部含有することを特徴とする請求項１〜４のいずれかに記載の抄紙用フェルト洗浄剤。
【請求項６】
請求項１〜５のいずれかに記載の抄紙用フェルト洗浄剤を、前記非イオン界面活性剤（Ｓ）及びキレート剤（Ｃ）の合計で０．００１〜２０重量％の範囲で含有する水溶液として用いることを特徴とする抄紙用フェルトの洗浄方法。
【発明の詳細な説明】
【技術分野】
【０００１】
本発明は、抄紙用フェルトに付着した有機汚れ及び無機汚れを洗浄する抄紙用フェルト洗浄剤に関する。
【背景技術】
【０００２】
紙パルプの製造工程は、一般に木材及びチップを機械力及び化学薬品で処理してパルプを得るパルプ化工程、回収古紙を離解・脱墨・水洗・漂白して脱墨パルプを得る古紙脱墨パルプ化工程、得られたパルプの洗浄・精選工程、漂白工程、各種薬品を添加して紙料を調整する調整工程、抄紙工程、湿紙水分を除去するプレス工程、そして乾燥工程などからなっている。
【０００３】
抄紙機械のプレス工程において湿紙を運搬し水分を搾水する働きを持つフェルトに付着する汚れは、有機汚れと無機汚れに分類される。有機汚れには紙由来の樹脂分、脱墨されずに抄紙工程に混入したインキ、塗工用薬剤等がある。無機汚れには、炭酸塩、硫酸塩、燐酸塩、蓚酸塩、さらにチリや埃などが挙げられる。これらの汚れが蓄積すると、抄紙機械のプレス工程において湿紙を運搬し水分を搾水するフェルトの働きが著しく低下し、高速での抄紙が困難になる。そこで、フェルトの均一な搾水性を保持させるという対策をとる必要がある。
【０００４】
一般に用いられている抄紙用フェルトの洗浄薬品はアルカリ類、酸類、溶剤、界面活性剤などがあり、ピッチなどの有機汚れに対しては界面活性剤、無機汚れに対してはカルボン酸やキレート剤が特に有効とされてきた。しかしながら、従来知られているこれらの薬品を単独または併用しても有機汚れ、無機汚れを同時に洗浄するのに充分満足できるものはほとんど無いだけでなく、脱墨パルプの使用、抄紙スピードの高速化に対応したフェルト洗浄剤として、さらなる改善が要望されていた。
【０００５】
酸が配合されておらず界面活性剤で構成された中性系フェルト洗浄剤として、たとえば、炭素数６〜１４の長鎖のアルコールにエチレンオキサイドを付加した化合物と炭素数１〜６の短鎖のアルコールに炭素数２〜３のアルキレンオキサイドを付加した化合物の混合物を用いたものが挙げられ、従来より用いられているが、このような非イオン界面活性剤では無機汚れの除去性が劣る。
【０００６】
または、有機酸、無機酸を配合した酸性系フェルト洗浄剤として、たとえば特許文献１に、キレート作用のある有機酸に塩酸、硫酸、スルファミン酸等の無機酸を配合させたフェルト洗浄剤が開示されているが、有機汚れの除去性に対し満足する洗浄性を得られていない。
【特許文献１】特開平４−３４８１９５号公報
【発明の開示】
【発明が解決しようとする課題】
【０００７】
近年、古紙の再生が盛んに行われるようになってきたが、古紙を脱墨処理した脱墨パルプを含むパルプ原料を抄紙した場合には、より多くの汚れが抄紙用フェルトに付着するという問題がある。このような状況から、今日では、フェルト汚れに対する洗浄性は一段と重要になってきている。すなわち、フェルトの汚れを充分に除去し、良好な搾水性を維持することが重要な課題となっている。
【０００８】
本発明は、上記問題点に鑑みてなされたものであって、有機汚れと無機汚れとを問わず、抄紙用フェルトの汚れの除去性に優れる低泡性抄紙用フェルト洗浄剤及びこれを用いた洗浄方法を提供することを課題とする。
【課題を解決するための手段】
【０００９】
本発明の抄紙用フェルト洗浄剤は、炭素数８〜２４の分岐型１級アルコールから誘導された下記一般式（１）で表される非イオン界面活性剤（Ｓ）を必須成分として含有することを特徴とする。 
【化１】
2008222993.tif 000002
【００１０】
式中、Ｒ１及びＲ２は炭素数１〜１２の分岐又は直鎖のアルキル基又はアルケニル基である。ＡＯは炭素数２〜４のオキシアルキレン基、ｎはオキシアルキレン基の平均付加モル数を示し、１〜１００である。
【００１１】
本発明においては、前記非イオン界面活性剤（Ｓ）が、炭素数８〜１１の分岐型１級アルコールから誘導された下記一般式（２）で表されるものであることが好ましい。 
【化２】
2008222993.tif 000003
【００１２】
式中、Ｒ３及びＲ４は炭素数１〜８の分岐又は直鎖のアルキル基又はアルケニル基である。ＡＯは炭素数２〜４のオキシアルキレン基、ｎはオキシアルキレン基の平均付加モル数を示し、１〜１００である。
【００１３】
さらに、本発明においては、前記非イオン界面活性剤（Ｓ）が、炭素数１０の分岐型１級アルコールから誘導された下記一般式（３）で表されるものであることがより好ましい。 
【化３】
2008222993.tif 000004
【００１４】
式中、Ｒ５は炭素数３〜７の分岐又は直鎖のアルキル基又はアルケニル基である。Ｒ６は炭素数１〜５の分岐又は直鎖のアルキル基又はアルケニル基である。ＡＯは炭素数３及び／又は４のオキシアルキレン基、ＥＯはオキシエチレン基、ｎはオキシアルキレン基の平均付加モル数を示し、０〜２０であり、ｍはオキシエチレン基の平均付加モル数を示し、１〜５０である。
【００１５】
本発明においては、前記非イオン界面活性剤（Ｓ）が、炭素数１０の分岐型１級アルコールから誘導された下記一般式（４）で表されるものであることがより好ましく用いることができる。 
【化４】
2008222993.tif 000005
【００１６】
式中、Ｒ７は炭素数３〜７の分岐又は直鎖のアルキル基又はアルケニル基である。Ｒ８は炭素数１〜５の分岐又は直鎖のアルキル基又はアルケニル基である。ＡＯは炭素数３及び／又は４のオキシアルキレン基、ＥＯはオキシエチレン基、［（ＥＯ）ｐ／(ＡＯ)ｑ］はオキシエチレン基と炭素数３及び／又は４のオキシアルキレン基とのモル比ｐ／ｑのランダム重合鎖である。ｎはオキシアルキレン基の平均付加モル数を示し、０〜１０である。ｍはオキシエチレン基の平均付加モル数を示し、１〜５０である。ｐはランダム重合鎖におけるオキシエチレン基の平均付加モル数を示し、０〜１０である。ｑはランダム重合鎖におけるオキシアルキレン基の平均付加モル数を示し、１〜１０である。
【００１７】
本発明の抄紙用フェルト洗浄剤は、抄紙用フェルト洗浄剤１００重量部中に、前記非イオン界面活性剤（Ｓ）を１〜８５重量部、キレート剤（Ｃ）を０．００１〜４０重量部含有することが好ましい。
【００１８】
また、本発明は、前記の抄紙用フェルト洗浄剤を、前記非イオン界面活性剤（Ｓ）及びキレート剤（Ｃ）の合計で０．００１〜２０重量％の範囲で含有する水溶液として用いることを特徴とする抄紙用フェルトの洗浄方法にある。
【発明の効果】
【００１９】
本発明は、炭素数８〜２４の分岐型１級アルコールから誘導された非イオン界面活性剤を主成分とする抄紙用フェルト洗浄剤にあり、有機及び無機汚れの両方に対し良好な洗浄性を有し、抄紙工程中で汚染された抄紙用フェルトを効果的に洗浄することができる。従って、フェルトを常に清浄な状態に保ち、均一な搾水性と高い作業性とを保持し紙製品の品質を向上させることができる。
【発明を実施するための最良の形態】
【００２０】
本発明の抄紙用フェルト洗浄剤の必須成分となる界面活性剤は、炭素数８〜２４の分岐型１級アルコールから誘導された分岐型非イオン界面活性剤（Ｓ）であり、該非イオン界面活性剤の出発アルコールの炭素数は８〜１１であることが好ましく、本発明の目的を達成するためには、特に限定したアルキレンオキサイドの付加形態を有し、且つ、炭素数１０の分岐型アルコールから誘導されることが最も好ましい。
【００２１】
上記非イオン界面活性剤（Ｓ）は、炭素数８〜２４の分岐型１級アルコールから誘導された下記一般式（１）で表されるものからなる。 
【化５】
2008222993.tif 000006
【００２２】
式（１）において、Ｒ１及びＲ２は炭素数１〜１２の分岐又は直鎖のアルキル基又はアルケニル基である。ＡＯは炭素数２〜４のオキシアルキレン基、ｎはオキシアルキレン基の平均付加モル数を示し、１〜１００である。
【００２３】
炭素数１〜１２の分岐又は直鎖のアルキル基としては、例えば、メチル、エチル、プロピル、イソプロピル、ブチル、イソブチル、２級ブチル、ターシャリブチル、ペンチル、イソペンチル、２級ペンチル、ネオペンチル、ターシャリペンチル、ヘキシル、２級ヘキシル、ヘプチル、２級ヘプチル、オクチル、２−エチルヘキシル、２級オクチル、ノニル、２級ノニル、デシル、２級デシル、ウンデシル、２級ウンデシル、ドデシル、２級ドデシル基等が挙げられる。
【００２４】
また、炭素数１〜１２の分岐又は直鎖のアルケニル基としては、例えば、ビニル、アリル、プロペニル、イソプロペニル、ブテニル、イソブテニル、ペンテニル、イソペンテニル、ヘキセニル、ヘプテニル、オクテニル、ノネニル、デセニル、ウンデセニル、ドデセニル基等が挙げられる。
【００２５】
原料アルコールは、炭素数が単一であっても、異なる炭素数のアルコールの混合物であってもよく、また、原料アルコールの炭素数が単一のものから成る場合にも、これは複数の異性体からなる混合物であってもよい。
【００２６】
以上を踏まえた原料アルコールの好適な例としては、２−プロピル−１−ヘキサノール、２−ブチル−１−ヘキサノール、２−エチル−１−ヘプタノール、２−プロピル−１−ヘプタノール、２−エチル−１−オクタノール、分岐鎖がさらに分岐した構造を持つ、２−イソプロピル−１−ヘプタノール、４−メチル−２−プロピル−１−ヘキサノール、２−イソプロピル−４−メチル−１−ヘキサノール、５−メチル−２−プロピル−１−ヘキサノール等の２−アルキル−１−アルカノール型の化学構造をもつゲルベアルコール類の単一組成、或いはそれらのアルコールを２種以上配合した混合物などが挙げられる。
【００２７】
本発明で使用する非イオン界面活性剤（Ｓ）は、上記アルコールに炭素数２〜４のアルキレンオキサイドをブロック付加またはランダム付加して得られ、この付加重合の際に特定のモル比等の条件を選択したものである。炭素数２〜４のアルキレンオキサイドは、エチレンオキサイド、プロピレンオキサイド、１，２−ブチレンオキサイドまたは２，３−ブチレンオキサイドが挙げられる。
【００２８】
上記非イオン界面活性剤（Ｓ）は、アルカリ触媒、酸触媒の他、金属酸化物、金属塩類、金属錯体類などの種々公知の触媒を用いて上記アルコールから誘導することが可能である。中でも、アルカリ触媒は、副生物の生成量が相対的に低く、また反応速度、製造コスト等の点から商業生産上有利である。使用できるアルカリ触媒の一例としては、水酸化カリウム、水酸化ナトリウムなどのアルカリ金属の水酸化物及びトリエチルアミンをはじめとする各種アミン化合物などが挙げられる。好適な触媒量は反応粗製物（全仕込量）当たり０．００５〜５．０％（固形分換算）、より好ましくは０．０１〜０．５％の範囲である。
【００２９】
【化６】
2008222993.tif 000007
【００３０】
また、本発明の抄紙用フェルト洗浄剤に用いられる非イオン界面活性剤（Ｓ）としては、炭素数８〜１１の２−アルキル−１−アルカノール型の分岐型１級アルコールから誘導される上記一般式（２）で表されるものであることが好ましい。
【００３１】
【化７】
2008222993.tif 000008
【００３２】
さらに、前記非イオン界面活性剤（Ｓ）が、炭素数１０の２−アルキル−１−アルカノール型の分岐型１級アルコールから誘導される上記一般式（３）で表されるものであることがより好ましい。
【００３３】
【化８】
2008222993.tif 000009
【００３４】
前記非イオン界面活性剤（Ｓ）は、上記原料アルコールにエチレンオキサイドと炭素数３及び／又は４のアルキレンオキサイドをブロック付加またはランダム付加し、さらにオキシエチレン基とオキシアルキレン基とのモル比がｐ／ｑのランダム重合鎖が付加されて得られる一般式（４）で表されるものがより好ましく用いることができる。
【００３５】
上記一般式（１）〜（４）において、ＡＯは炭素数３及び／又は４のオキシアルキレン基、ＥＯはオキシエチレン基を表し、ＡＯはブロック付加でもランダム付加でも、又はその混合でも良い。（ＡＯ）ｎにおいて、−（ＸＯ）ｘ−（ＹＯ）ｙ−は原料アルコールに対しアルキレンオキサイドＸＯのｘモルを先に付加重合させ、次いで、アルキレンオキサイドＹＯのｙモルを付加重合させたブロック付加体を示す。−（ＸＯ）ｘ／（ＹＯ）ｙ−は原料アルコールに対しアルキレンオキサイドＸＯのｘモルとアルキレンオキサイドＹＯのｙモルを混合して付加重合させたランダム付加体を示す。
【００３６】
また、一般式（４）において、ＡＯは炭素数３及び／又は４のオキシアルキレン基、ＥＯはオキシエチレン基、［（ＥＯ）ｐ／(ＡＯ)ｑ］はオキシエチレン基と炭素数３及び／又は４のオキシアルキレン基とのモル比ｐ／ｑのランダム重合鎖である。ｎはオキシアルキレン基の平均付加モル数を示し、０〜１０である。ｍはオキシエチレン基の平均付加モル数を示し、１〜５０である。ｐはランダム重合鎖におけるオキシエチレン基の平均付加モル数を示し、０〜１０である。ｑはランダム重合鎖におけるオキシアルキレン基の平均付加モル数を示し、１〜１０である。
【００３７】
本発明の抄紙用フェルト洗浄剤は、有機汚れ、無機汚れの両方に対し有効な洗浄性を有するが、一般式（３）の構造を持つものは特に有機汚れに対し、一般式（４）の構造を持つものは特に無機汚れに対して高い洗浄効果を発揮する。
【００３８】
また、上記抄紙用フェルト洗浄剤には、上記非イオン界面活性剤を必須成分として、必要に応じて、公知の陰イオン性界面活性剤、陽イオン性界面活性剤、両性界面活性剤、上記以外の非イオン界面活性剤を助剤として用いることができる。２種以上の界面活性剤を組み合わせることで、洗浄性能が顕著に向上する場合がある。これらは、市販の各種界面活性剤を使用することができる。
【００３９】
これらの公知の界面活性剤の使用量としては、本発明の抄紙用フェルト洗浄剤１００重量部に対して、０．５〜４５重量部含まれることが好ましく、より好ましくは１〜２０重量部である。
【００４０】
また、本発明の抄紙用フェルト洗浄剤は、上記非イオン界面活性剤（Ｓ）にキレート剤（Ｃ）を併用することで、洗浄効果をさらに向上させることができる。
【００４１】
キレート剤（Ｃ）としては、Ｅｔｈｙｌｅｎｅ  Ｄｉａｍｉｎｅ  Ｔｅｔｒａａｃｅｔｉｃ  Ａｃｉｄ（ＥＤＴＡ）に代表されるアミノカルボン酸系キレート剤や、Ｈｙｄｒｏｘｙｅｔｈｙｌｉｄｅｎｅ  Ｄｉｐｈｏｓｐｈｏｎｉｃ  Ａｃｉｄ（ＨＥＤＰ）に代表されるホスホン酸系キレート剤、それらの塩またはポリアクリル酸のようなポリマー型のキレート剤などが挙げられるが、ＥＤＴＡ、ＨＥＤＰあるいはこれらのナトリウム塩が好ましい。
【００４２】
本発明では、キレート剤を含有する場合には界面活性剤（Ｓ）及びキレート剤（Ｃ）の含有量は、抄紙用フェルト洗浄剤１００重量部中に、（Ｓ）の合計が１〜８５重量部、（Ｃ）が０．００１〜４０重量部、更に（Ｓ）が５〜４０重量部、（Ｃ）が０．３〜２０重量部、特に（Ｓ）が５〜３０重量部、（Ｃ）が０．５〜１０重量部であることが好ましい。また、これら以外の残りの成分として、危険物該当の回避、低温時の保存安定性の点から水を含有することが好ましい。
【００４３】
本発明の抄紙用フェルト洗浄剤は、本発明の目的を達するために特に限定した構造を持つ炭素数が８〜２４の分岐型アルコールから誘導された分岐型非イオン界面活性剤（Ｓ）を主成分とし、必要に応じ助剤としての界面活性剤及びキレート剤（Ｃ）が配合されていることが特徴的である。上記組み合わせ及びその配合範囲で抄紙フェルトの有機汚れ及び無機汚れの両方に対して優れた洗浄力を発現する。また、従来の界面活性剤では問題となった抄紙工程における泡立ちによる作業効率の低下を防ぐことが可能となった。
【００４４】
本発明の抄紙用フェルト洗浄剤の使用方法は、フェルトの洗浄方法および汚れの程度に応じて任意に選ばれるが、水で希釈して有効分（界面活性剤及びキレート剤の合計）濃度で０．００１〜２０重量％の範囲の水溶液として用いるのが好ましく、特に０．０５〜５重量％が好ましい。また、古紙原料を脱墨して得られる脱墨パルプを含むパルプ原料を抄紙する場合に付着するフェルト汚れに対しても良好な洗浄性を示すので、脱墨パルプを含むパルプ原料を用いる抄紙系に適用するのも有効である。
【００４５】
抄紙用フェルトの洗浄方法は抄紙機上での洗浄と、抄紙機からフェルトを取りはずして洗浄する方法があるが、本発明の洗浄剤はこれらの洗浄方法のいずれにも適用できる。
【００４６】
本発明のフェルト洗浄剤の優れた洗浄性により、フェルトを常に清浄な状態に保ち、均一な搾水性と高い作業性を保持できるので製造物である紙製品の品質を向上させることができる。
【実施例】
【００４７】
以下、実施例により本発明を具体的に説明するが、本発明はこれに限定されるものではない。抄紙機からフェルトを取り外した場合のモデル試験として試験１、抄紙機上での洗浄モデル試験として試験２を行った。
【００４８】
［試験１］
中性中質紙の抄紙工程から採取した抄紙用フェルトを、７ｃｍ×７ｃｍの大きさに切って試験用のフェルトとした。このフェルトを真空乾燥器で減圧乾燥し、完全に水分を取り除いた。これを所定濃度の化合物を含む洗浄液中に浸し、３０℃にて２４時間保った。このフェルトを取りだし、水洗して薬品を取り除いた後、乾燥した。次いで、抽出溶媒としてエタノール／ベンゼン（容量比１／２）を用い、ソックスレー抽出装置を使用して２時間抽出し、汚染フェルトおよび洗浄後フェルト１ｇ当たりの有機溶剤抽出量を求め、下記計算式により有機汚れ洗浄率（％）を求めた。さらに、このフェルトを８％塩酸中に浸し、３０℃にて２４時間保った。次いでこのフェルトを取りだし、水洗した後、乾燥した。汚染フェルトおよび洗浄後フェルト１ｇ当たりの塩酸抽出量を求め、下記計算式により無機汚れ洗浄率（％）を求めた。
【００４９】
［試験２］
中性中質紙の抄紙工程から採取した抄紙用フェルトを、７ｃｍ×７ｃｍの大きさに切って試験用のフェルトとした。このフェルトを真空乾燥器で減圧乾燥し、完全に水分を取り除いた。これに、所定濃度の化合物を含む洗浄液を５０℃、０．１ＭＰａの水圧を保ち２０分間シャワーリングした。このフェルトを水洗して薬品を取り除いた後、乾燥した。次いで、抽出溶媒としてエタノール／ベンゼン（容量比１／２）を用い、ソックスレー抽出装置を使用して２時間抽出し、汚染フェルトおよび洗浄後フェルト１ｇ当たりの有機溶剤抽出量を求め、下記計算式により有機汚れ洗浄率（％）を求めた。さらに、このフェルトを８％塩酸中に浸し、３０℃にて２４時間保った。次いでこのフェルトを取りだし、水洗した後、乾燥した。汚染フェルトおよび洗浄後フェルト１ｇ当たりの塩酸抽出量を求め、下記計算式により無機汚れ洗浄率（％）を求めた。
【００５０】
［評価］
・有機汚れ洗浄率
上記試験１および試験２で測定された汚染フェルト及び洗浄後フェルトの有機溶剤抽出量から、有機汚れ洗浄率を以下のように算出した。 
有機汚れ洗浄率（％）＝１００×〔（汚染フェルト１ｇ当り有機溶剤抽出量−洗浄後フェルト１ｇ当り有機溶剤抽出量）／汚染フェルト１ｇ当り有機溶剤抽出量〕
【００５１】
・無機汚れ洗浄率
上記試験１および試験２で測定された汚染フェルト及び洗浄後フェルトの塩酸抽出量から、無機汚れ洗浄率を以下のように算出した。 
無機汚れ洗浄率（％）＝１００×〔（汚染フェルト１ｇ当り塩酸抽出量−洗浄後フェルト１ｇ当り塩酸抽出量）／汚染フェルト１ｇ当り塩酸抽出量〕
【００５２】
［評価基準］
上記の各洗浄率を、下記表１の基準で評価した。本発明品の試験結果を表２及び表３に、比較品の試験結果を表４に示す。従来の界面活性剤でたびたび問題となった泡立ちによる作業効率の低下を想定し、特に懸念されるシャワーリング試験の際の泡高さを目視により評価し、表中に併記した。
【００５３】
【表１】
2008222993.tif 000010
【００５４】
【表２】
2008222993.tif 000011
【００５５】
2008222993.tif 000012
【００５６】
【表３】
2008222993.tif 000013
【００５７】
2008222993.tif 000014
【００５８】
【表４】
2008222993.tif 000015
【００５９】
2008222993.tif 000016
【００６０】
［注］実施例に用いた界面活性剤（成分２）、キレート剤、及び成分１の原料アルコールは以下の通りである。 
１）ネオコールＳＷ−Ｃ（第一工業製薬（株）製、スルホコハク酸ジオクチルナトリウム）、２）ハイテノール３３０Ｔ（第一工業製薬（株）製、ポリオキシエチレントリデシルエーテル硫酸ナトリウム）、３）アミラヂン（第一工業製薬（株）製、ポリオキシアルキレンタローアミン）、４）ノイゲンＴＤＸ−５０（第一工業製薬（株）製、ポリオキシアルキレントリデシルエーテル）、５）カチオーゲンＴＭＬ（第一工業製薬（株）製、塩化ラウリルトリメチルアンモニウム）、６）アモーゲンＳ（第一工業製薬（株）製、ラウリルジメチルアミノ酢酸ベタイン）、７）ＥＤＴＡ−４Ｎａ（キレスト社製、Ｅｔｈｙｌｅｎｅ  Ｄｉａｍｉｎｅ  Ｔｅｔｒａａｃｅｔｉｃ  Ａｃｉｄ）、８）ＨＥＤＰ（キレスト社製、Ｈｙｄｒｏｘｙｅｔｈｙｌｉｄｅｎｅ  Ｄｉｐｈｏｓｐｈｏｎｉｃ  Ａｃｉｄ）
【００６１】
※１：下記成分［Ｘ１］〜［Ｘ３］の混合ゲルベアルコール、Ｘ１／Ｘ２／Ｘ３＝７０／２５／５
【化９】
2008222993.tif 000017
【００６２】
※２：下記構造のゲルベアルコール
【化１０】
2008222993.tif 000018
【００６３】
※３：下記成分［Ｙ１］、［Ｙ２］の混合ゲルベアルコール、Ｙ１／Ｙ２＝９０／１０
【化１１】
2008222993.tif 000019
【００６４】
※４：ネオドール２３（シェル化学社製、炭素数Ｃ１２、Ｃ１３を主成分とする平均分子量１９４、直鎖率約７９％の混合オキソアルコール）
※５：ネオドール９１（シェル化学社製、炭素数Ｃ９〜Ｃ１１を主成分とする平均分子量１６０、直鎖率約８２％の混合オキソアルコール）
※６：ＥＸＸＡＬ１０（エクソンケミカル社製、炭素数Ｃ９〜Ｃ１１を主成分とする平均分子量１５３、高度分岐構造を有する混合オキソアルコール）
【産業上の利用可能性】
【００６５】
本発明の抄紙用フェルト洗浄剤は、抄紙工程で汚染されたフェルトの汚れを、有機汚れと無機汚れを問わず除去、洗浄することができる。特に、古紙原料を脱墨して得られる脱墨パルプを含むパルプ原料を用いる抄紙系のフェルト洗浄に好適に使用できる。